(57)【特許請求の範囲】
【請求項１】
菱形金網製の直方体状をした複数の角形蛇篭を、内部に石材を充填した状態で左右に並べて配設し、隣接する蛇篭の側面間に形成される隙間の前面、後面、上面のうち少なくとも前面又は後面を、該蛇篭を形成する菱形金網の網目より小さい網目を有する網製の隙間カバーで覆うと共に、前記隙間の内部に、前記蛇篭に充填された石材より小さく且つ前記隙間カバーの網目から抜け出さない大きさのバラスを充填したことを特徴とする蛇篭連設体。
【請求項２】
前記隙間カバーは、菱形金網により形成されていて、該菱形金網を形成する列線を縦向きにした姿勢で配設されていることを特徴とする請求項１に記載の蛇篭連設体。
【請求項３】
前記隣接する蛇篭が針金製の連結金具で相互に連結され、該連結金具は、前記隙間を横切るように配設され、該連結金具の一端と他端とが前記隣接する蛇篭の一方と他方とに係止していることを特徴とする請求項１又は２に記載の蛇篭連設体。
【請求項４】
前記連結金具は、前記隙間カバーに係止することにより、該隙間カバーを取り付けるための取付金具を兼ねていることを特徴とする請求項３に記載の蛇篭連設体。
【請求項５】
前記隙間カバーは、前記連結金具の上から該連結金具を覆うように配設されていることを特徴とする請求項３に記載の蛇篭連設体。
【発明の詳細な説明】
【技術分野】
【０００１】
本発明は、菱形金網製の複数の角形蛇篭を、内部に石材を充填した状態で設置現場に左右に並べて配設することにより形成される蛇篭連設体に関するものである。
【背景技術】
【０００２】
護岸工事や法面工事等の各種工事に使用される角形蛇篭は、菱形金網によって直方体状に形成され、その内部に栗石や砕石等の石材を充填した状態で、岸辺や法面等の設置現場に、左右に並べたり上下に段積したりした状態に設置され、それによって護岸壁や法面壁等の補強壁が形成される。その際、前記岸辺や法面等が湾曲していると、前記蛇篭は、その地形に沿って湾曲した形に並べなければならない。
【０００３】
ところが、前記蛇篭は、直方体状をしているため、それを湾曲する地形に沿って並べると、隣接する蛇篭の間に、平面視形状が三角形の隙間が形成されることになる。前記地形が凸形に湾曲している場合、前記隙間は前広がり状になり、凹形に湾曲している場合、前記隙間は後広がり状になる。
隣接する蛇篭間にこのような隙間が形成されると、完成した補強壁の見栄えが悪くなるだけでなく、蛇篭の背後に位置する壁面の土砂（背面土砂）がこの隙間を通じて流出し易くなるため、この背面土砂の流出によって前記壁面が崩壊したり、蛇篭の位置ずれが生じるなどの問題が発生する。
【０００４】
このような問題は、蛇篭を真っ直ぐな地形に沿って直線的に設置する場合にも発生することがある。即ち、近年では、工事の迅速化を図るため、特許文献１に開示されているように、蛇篭に石材を充填する作業を設置現場とは別の場所で行い、石詰めした蛇篭を設置現場に運搬して設置するようにしているが、その際、石詰めした前記蛇篭は、吊り上げ装置（リフタ手段）によって吊り上げられ、トラック等の車両に乗せられて設置現場に運搬されており、その際、前記蛇篭は、前記吊り上げ装置で吊り上げたり降ろしたりしている間に内部の石材が動くことによって変形し、完全な直方体ではなくなる場合がある。変形した蛇篭は、側面同士を当接させて隙間無く設置するのが難しいため、隣接する蛇篭間に隙間が形成され易く、それに対する何らかの対策を講じる必要があった。
【先行技術文献】
【特許文献】
【０００５】
【特許文献１】特開２００２−９７６１６号公報
【発明の概要】
【発明が解決しようとする課題】
【０００６】
本発明の技術的課題は、複数の蛇篭を左右に並べて配設した蛇篭連設体において、隣接する蛇篭間に形成される隙間に簡単な閉塞処理を施すことにより、該隙間を通じての背面土砂の流出を防止すると同時に、外観上の見栄えが悪くなるのを防止することにある。
【課題を解決するための手段】
【０００７】
前記課題を解決するため本発明によれば、菱形金網製の直方体状をした複数の角形蛇篭を、内部に石材を充填した状態で左右に並べて配設し、隣接する蛇篭の側面間に形成される隙間の前面、後面、上面のうち少なくとも前面又は後面を、該蛇篭を形成する菱形金網の網目より小さい網目を有する網製の隙間カバーで覆うと共に、前記隙間の内部に、前記蛇篭に充填された石材より小さく且つ前記隙間カバーの網目から抜け出さない大きさのバラスを充填したことを特徴とする蛇篭連設体が提供される。
【０００８】
本発明において好ましくは、前記隙間カバーが菱形金網により形成されていて、該菱形金網を形成する列線を縦向きにした姿勢で配設されていることである。
【０００９】
本発明においては、前記隣接する蛇篭が針金製の連結金具で相互に連結され、該連結金具は、前記隙間を横切るように配設され、該連結金具の一端と他端とが前記隣接する蛇篭の一方と他方とに係止していることが望ましい。
この場合、前記連結金具は、前記隙間カバーに係止することにより、該隙間カバーを取り付けるための取付金具を兼ねていても良い。
あるいは、前記隙間カバーが、前記連結金具の上から該連結金具を覆うように配設されていても構わない。
【発明の効果】
【００１０】
本発明の蛇篭連設体によれば、隣接する蛇篭間に形成される隙間の少なくとも前面又は後面を隙間カバーで覆うと共に、該隙間の内部にバラスを充填したことにより、該隙間を通じての背面土砂の流出を前記バラスで防止することができると同時に、前記隙間が露出することによる補強壁の外観上の見栄えの低下も防止することができる。
【図面の簡単な説明】
【００１１】
【図１】本発明に係る蛇篭連設体の第１実施形態を示す側断面図である。
【図２】図１の正面図である。
【図３】図２の平面図である。
【図４】図３の要部拡大図である。
【図５】図４の正面図である。
【図６】図５の要部拡大図である。
【図７】蛇篭の構造を説明する斜視図である。
【図８】本発明に係る蛇篭連設体の第２実施形態を示す要部平面図である。
【発明を実施するための形態】
【００１２】
図１−図３は本発明に係る蛇篭連設体の第１実施形態を示すものである。この蛇篭連設体１Ａは、菱形金網製の複数の角形蛇篭２を、内部に石材３を充填した状態で、凸形に湾曲する設置現場に、その地形に沿って凸形に湾曲するよう左右に並べて配設すると共に、隣接する蛇籠２，２同士を連結金具４で相互に連結することにより形成されたもので、この蛇篭連設体１Ａを上下に複数段段積することにより、階段状をした護岸壁や法面壁等の補強壁が形成されている。
【００１３】
なお、分かり易くするため、図１は、図２及び図３に対して拡大された状態で描かれており、図２及び図３では石材３の記載が省略されている。また、前記蛇篭連設体１Ａは上下２段に段積されているが、該蛇篭連設体１Ａは、３段以上に段積することも、１段だけで設置することできる。
【００１４】
前記蛇篭２は、図７に示すように、矩形の底面網７ａと、該底面網７ａの前後に配置された矩形の前面網７ｂ及び後面網７ｃと、前記底面網７ａの左右に配置された矩形の左面網７ｄ及び右面網７ｅと、矩形の上面網７ｆとを、相互に連結して形成した直方体状の蛇篭であって、前記前面網７ｂと後面網７ｃとを結ぶ前後長ａより、左面網７ｄと右面網７ｅとを結ぶ左右長ｂの方が長く形成されている。
【００１５】
前記底面網７ａと前面網７ｂ及び後面網７ｃと左面網７ｄ及び右面網７ｅとは、各々を個別に形成して相互に連結しても良いが、例えば底面網７ａと前面網７ｂ及び後面網７ｃとの列線９の向きが互いに同じ向きである場合、即ち、前記列線９の向きが図示したように横向きである場合には、一つの菱形金網によって一体に形成することもできる。
【００１６】
また、隣接する面網同士の連結は、各面網の外周を取り囲む針金製の外周枠１０の互いに対応する辺同士を、コイル状をした結束金具１１を巻き付けて結束することにより行われている。図中の符号１２は、各面網の中間位置に設けた補強線である。
なお、前記菱形金網は、扁平螺旋状に折曲して形成した前記列線９の折曲部９ａを、順次係止させることにより形成されたものである。
【００１７】
図３及び図４から明らかなように、前記複数の蛇篭２は、凸形をした地形に沿って左右に並べて設置されているため、隣接する蛇篭２，２の側面間、即ち、一方の蛇篭２の右面網７ｅと他方の蛇篭２の左面網７ｄとの間には、平面視形状が前広がりの略三角形をなす隙間１４が形成される。このような隙間１４が形成されると、補強壁の見栄え、特に正面からの見栄えが悪くなって体裁が損なわれるだけでなく、蛇篭連設体１Ａの背後に位置する壁面１５の土砂（背面土砂）がこの隙間１４を通じて流出し易くなり、この背面土砂の流出によって前記壁面１５が崩壊したり、蛇篭２の位置ずれが生じるなどの問題が発生する。
【００１８】
このため、隣接する前記蛇篭２，２間には、前記隙間１４の前面１４ａを覆うように隙間カバー１６が取り付けられると共に、該隙間１４の内部を埋めるようにバラス１７が充填されている。このバラス１７は、前記隙間１４を通じて蛇篭連設体１Ａの背後の壁面１５から背面土砂が流出するのを防止すると同時に、隣接する蛇篭２，２の動きを抑えて位置ずれするのを防止し、前記隙間カバー１６は、前記隙間１４の前面１４ａを覆い隠すことにより、該隙間１４の露出を防いで補強壁の見栄えを良くすると共に、前記バラス１７が前記隙間１４から漏出するのを防止する役目を果たす。
【００１９】
前記隙間カバー１６は、図５及び図６から明らかなように、扁平螺旋状をなす列線１８の折曲部１８ａを順次係止させた菱形金網により形成されたもので、前記列線１８の線径は、前記蛇篭２を形成する菱形金網の列線９の線径より小さく、また、網目の大きさは、前記蛇篭２を形成する菱形金網の網目より小さく、且つ、前記バラス１７が抜け出さない程度の大きさである。従って、当然のことながら前記バラス１７は、蛇篭２に充填された前記石材３より小径である。
【００２０】
また、前記隙間カバー１６は、上下方向に座屈しにくいように、前記列線１８の向きを縦向きにした姿勢で配設され、針金からなる前記連結金具４によって隣接する蛇篭２，２間に取り付けられている。即ち、図６から明らかなように、前記連結金具４は、前記隙間カバー１６を形成する菱形金網の網目内に、前記列線１８に係止するように挿通されることにより、前記隙間１４の前面１４ａを横切るように配設され、その一端が一方の蛇篭２の前面網７ｂ及び右面網７ｅの端部の外周枠１０に係止されると共に、他端が他方の蛇篭２の前面網７ｂ及び左面網７ｄの端部の外周枠１０に係止され、それにより、該連結金具４で、前記隣接する蛇篭２，２同士が相互に連結されると同時に、前記隙間カバー１６が隣接する前記蛇篭２，２間に取り付けられている。従って、該連結金具４は、隣接する蛇篭２，２同士を連結する機能の他、前記隙間カバー１６を取り付けるための取付金具としての機能も兼備するものである。
【００２１】
前記連結金具４の線径は、前記蛇篭２を形成する菱形金網の列線９の線径と同等か又はそれ以上であり、該連結金具４の両端は、前記外周枠１０に係止されたあと、互いに向き合うように内側に向けて折り返されているが、その折返し端４ａは、安全のため、外部に露出させることなく、できるだけ前記隙間カバー１６の内側に向けて折り曲げておくことが望ましい。
【００２２】
図５に示す例では、３本の前記連結金具４が、前面網７ｂの上端部、中間部、下端部の３箇所に設けられているが、該連結金具４の数は４本以上であっても良く、あるいは、２本の連結金具４が前面網７ｂの上端部と下端部の２箇所に配設されていても良い。
【００２３】
また、前記隙間カバー１６は、前記連結金具４で蛇篭２に取り付けるのと同時に、あるいは該連結金具４で取り付ける代わりに、針金等からなる他のカバー取付金具を用いて、前記隣接する蛇篭２，２に連結しても良い。この場合、該隙間カバー１６の左右一端側の列線１８と他端側の列線１８とが、隣接する蛇篭２，２の一方の外周枠１０又は列線９と他方の外周枠１０又は列線９とに、前記カバー取付金具でそれぞれ連結される。
【００２４】
前述のように他のカバー取付金具で隙間カバー１６を取り付ける場合、前記連結金具４で隣接する蛇篭２，２同士を連結したあと、この連結金具４を上から覆うように前記隙間カバー１６を取り付けるようにすれば、該連結金具４の折返し端４ａが外部に露出するのを防止して安全性を高めることができる。従ってこの場合、前記隙間カバー１６は、安全カバーとしての機能を兼備することになる。
【００２５】
なお、前記隙間カバー１６は、隣接する蛇篭２，２同士を位置ずれしないように強固に連結するためのものではないため、前記カバー取付金具としては、前記列線１８と同程度の線径を有する比較的細く且つ折り曲げ易い針金を使用することができる。そのため、該カバー取付金具の端部を、安全のため前記隙間カバー１６の内側に向けて折り曲げた状態に処理することは比較的容易である。
【００２６】
しかし、前記隙間カバー１６も一応の強度を有していて、前記蛇篭２，２同士をある程度の強度で連結することができるため、該蛇篭２，２を大きな外力が作用しにくい場所等に設置する場合には、前記隙間カバー１６を該蛇篭２，２に前記カバー取付金具により取り付け、前記連結金具４による蛇篭２，２同士の連結を省略することも可能である。
【００２７】
前記隙間１４の後面１４ｂ側においては、隣接する蛇籠２，２の左面網７ｄと右面網７ｅとの後端部同士が、僅かな間隔を介して相互に近接するか、あるいは当接した状態にあり、この部分が、必要に応じて、針金からなる連結金具１９で相互に連結される。この場合、前記後面１４ｂ側の間隔がある程度大きい場合には、該後面１４ｂにも隙間カバーを取り付けることができ、該後面１４ｂの間隔が小さいか殆どない場合には、該隙間カバーの取り付けを省略することができる。
【００２８】
しかし、前記隙間１４の後面１４ｂが壁面１５に面していて、該壁面１５が隙間カバーの役目を果たすことによって前記バラス１７の漏出が防止される場合には、前記間隔がある程度大きい場合でも、前記隙間カバーを設ける必要がないこともある。
前記隙間１４の上面１４ｃについても、必要に応じて、該上面１４ｃを覆う隙間カバーを取り付けることも、隣接する蛇籠２，２を連結する連結金具を設けることもできる。
【００２９】
また、前記隙間カバー１６は、前記菱形金網製に限られるものではなく、溶接金網や合成樹脂製ネット等によって形成することもできる。前記溶接金網は、格子状に配置した縦鉄線と横鉄線との交点を電気抵抗溶接により一体化したものである。
【００３０】
更に、前記隙間カバー１６は、蛇篭２と異なる色に着色することもでき、このように隙間カバー１６を着色することにより、該隙間カバー１６が模様状に配置されるため、護岸壁として外観上の見栄えが良くなって意匠的効果が高められる。
【００３１】
図示した実施形態では、前記隙間カバー１６が、前記隙間１４の前面１４ａの幅にほぼぴったり合うような幅に形成されているが、該隙間カバー１６の幅を前記隙間１４の幅より大きく形成することにより、該隙間カバー１６の両端部を、隣接する蛇篭２，２の前面網７ｂ，７ｂと部分的に重複させ、該重複する部分を前記前面網７ｂ，７ｂに前記カバー取付金具で固定することもできる。その場合、前記隙間カバー１６と前面網７ｂとが重複する幅は、該前面網７ｂを形成する菱形金網の網目半分から２つ分程度であることが好ましい。
【００３２】
なお、前記蛇篭連設体１Ａにおいて、隣接する蛇篭２，２間に隙間１４が形成されない場所がある場合、その場所では、隣接する蛇篭２，２間に前記隙間カバー１６を取り付けたり、前記バラス１７を充填したりする必要がない。
また、場所によって隙間１４の幅が異なる場合には、その隙間１４の幅に合わせて各々の隙間１４毎に隙間カバー１６の幅を変えても良いが、全ての隙間１４に一定幅の隙間カバー１６を取り付けても良い。
【００３３】
一方、前記蛇篭２を、凹形の地形に沿って左右に並べて設置する場合には、前述したように凸形の地形に沿って設置する場合とは逆に、隣接する蛇篭２，２の側面間に、平面視形状が後広がりの略三角形をなす隙間が形成される。この場合には、該隙間の少なくとも後面に隙間カバーが取り付けられると共に、該隙間内にバラスが充填され、該隙間の前面及び上面には必要に応じて隙間カバーが取り付けられる。その他の構成は、蛇篭２を凸形の地形に沿って設置する場合と同じである。
【００３４】
図８は本発明に係る蛇篭連設体の第２実施形態を示す要部平面図であり、この第２実施形態の蛇篭連設体１Ｂは、複数の蛇籠２を左右に直線状に並べて設置したものである。
このように蛇篭２を直線状に並べて設置する場合にも、隣接する蛇籠２，２間に隙間１４が形成される場合がある。例えば、背景技術で述べたように、設置現場以外の場所で石詰めされた蛇篭２を、トラック等の車両で設置現場に運搬して設置するような場合に、前記蛇篭２を吊り上げ装置で吊り上げたり降ろしたりする間に、内部の石材が動くことによって該蛇篭２が変形し、完全な直方体ではなくなる場合がある。このような蛇篭２を現場に並べて設置すると、図示したように、隣接する蛇篭２，２間に前記隙間１４が形成されることがある。
【００３５】
なお、図８では、前記隙間１４が歪みのない長方形で描かれているが、実際には、前記蛇篭２の側面は不規則に変形しているため、前記隙間１４の形状は一定ではなく、蛇篭２の前後方向及び上下方向（高さ方向）に不規則に変化しており、該隙間１４の幅も不規則に変化している。この点は、前記第１実施形態の蛇篭連設体１Ａにおいて、予め石詰めした蛇篭２を用いた場合、隣接する蛇籠２，２間に形成される三角形状の隙間１４についても同様である。
【００３６】
そして、この第２実施形態の蛇篭連設体１Ｂにおいても、前記隙間１４の内部にバラス１７を充填すると共に、該隙間１４の前面１４ａ、後面１４ｂ、及び上面１４ｃのうち少なくとも前面１４ａを隙間カバー１６で塞ぐことにより、前記隙間１４を通じて蛇篭連設体１Ｂの背後の背面土砂が流出するのを防止することができると共に、補強壁の見栄えを良くすることができる。
この第２実施形態の蛇篭連設体１Ｂのその他の構成は、前記第１実施形態の蛇篭連設体１Ａの場合と同じである。
【符号の説明】
【００３７】
１Ａ，１Ｂ      蛇篭連設体
２      蛇篭
３      石材
４      連結金具
１４      隙間
１４ａ      前面
１４ｂ      後面
１４ｃ      上面
１６      隙間カバー
１７      バラス
１８      列線
【図１】
0005938458.tif 000002
【図２】
0005938458.tif 000003
【図３】
0005938458.tif 000004
【図４】
0005938458.tif 000005
【図５】
0005938458.tif 000006
【図６】
0005938458.tif 000007
【図７】
0005938458.tif 000008
【図８】
0005938458.tif 000009